(57)【要約】【課題】ユーザの嗜好に合った情報をユーザ端末に配信する。【解決手段】情報配信装置であって、ユーザ端末１１が複数のアクセスポイントに接続した接続情報を用いて、各アクセスポイントでの滞在時間を算出する算出手段２２と、滞在時間が所定の時間を越えるか否かを判別し、滞在時間が所定の時間を越えるアクセスポイントを記憶手段２５に記憶する判別手段２２と、所定のタイミングで、記憶手段２５に記憶された、滞在時間が所定の時間を越えるアクセスポイントに関連する情報を選択し、選択した情報をユーザ端末１１に配信する配信手段２３と、を有する。【選択図】図１
2015005894.tif 000002
【特許請求の範囲】
【請求項１】
情報配信装置であって、
ユーザ端末が複数のアクセスポイントに接続した接続情報を用いて、各アクセスポイントでの滞在時間を算出する算出手段と、
滞在時間が所定の時間を越えるか否かを判別し、滞在時間が所定の時間を越えるアクセスポイントを記憶手段に記憶する判別手段と、
所定のタイミングで、前記記憶手段に記憶された、滞在時間が所定の時間を越えるアクセスポイントに関連する情報を選択し、選択した情報を前記ユーザ端末に配信する配信手段と、を有すること
を特徴とする情報配信装置。
【請求項２】
請求項１記載の情報配信装置であって、
前記所定のタイミングは、前記ユーザ端末が所定の配信用アクセスポイントに接続したタイミングであること
を特徴とする情報配信装置。
【請求項３】
請求項１または２記載の情報配信装置であって、
前記算出手段は、ユーザ端末が第１のアクセスポイントに接続した時刻と、次の第２のアクセスポイントに接続した時刻との差を、第１のアクセスポイントでの滞在時間として算出すること
を特徴とする情報配信装置。
【請求項４】
請求項１から３のいずれか一項に記載の情報配信装置であって、
アクセスポイント毎に、当該アクセスポイントに関連する情報を記憶するアクセスポイント情報記憶手段を有し、
前記配信手段は、前記アクセスポイント情報記憶手段を用いて、滞在時間が所定の時間を越えるアクセスポイントに関連する情報を選択すること
を特徴とする情報配信装置。
【請求項５】
コンピュータが行う、情報配信方法であって、
ユーザ端末が複数のアクセスポイントに接続した接続情報を用いて、各アクセスポイントでの滞在時間を算出する算出ステップと、
滞在時間が所定の時間を越えるか否かを判別し、滞在時間が所定の時間を越えるアクセスポイントを記憶部に記憶する判別ステップと、
所定のタイミングで、前記記憶部に記憶された、滞在時間が所定の時間を越えるアクセスポイントに関連する情報を選択し、選択した情報を前記ユーザ端末に配信する配信ステップと、を行うこと
を特徴とする情報配信方法。
【請求項６】
請求項５記載の情報配信方法であって、
前記所定のタイミングは、前記ユーザ端末が所定の配信用アクセスポイントに接続したタイミングであること
を特徴とする情報配信方法。
【請求項７】
請求項５または６記載の情報配信方法であって、
前記算出ステップは、ユーザ端末が第１のアクセスポイントに接続した時刻と、次の第２のアクセスポイントに接続した時刻との差を、第１のアクセスポイントでの滞在時間として算出すること
を特徴とする情報配信方法。
【請求項８】
請求項１から４のいずれか一項に記載の情報配信装置としてコンピュータを機能させるための情報配信プログラム。
【発明の詳細な説明】
【技術分野】
【０００１】
本発明は、アクセスポイントに接続したユーザ端末に情報を配信する情報配信装置、情報配信方法、および情報配信プログラムに関する。
【背景技術】
【０００２】
スマートフォン、タブレットなどのモバイル端末の進化に伴って、近年、Ｏ２Ｏ（Online 2 Offline）サービスの開発が行われている。Ｏ２Ｏサービスは、ネット上（オンライン）からネット外の実地（オフライン）での行動へと促す施策、または、オンラインでの情報接触行動をもってオフラインでの購買行動に影響を与えるような施策である。具体的には、「モバイル端末（オンライン）」から、店舗、飲食店などの「実店舗（オフライン）」へ顧客を動員する購買促進サービスなどが該当する。
【０００３】
例えば、非特許文献１に、モバイル会員に対して沿線のおすすめ情報を提供するＯ２Ｏサービスが記載されている。
【先行技術文献】
【非特許文献】
【０００４】
【非特許文献１】“モバイル会員向けＯ２Ｏサービス「ＳＭＡＲＴ  ＳＴＡＣＩＡ（スマート  スタシア）」の提供開始およびＯ２Ｏマーケティングに関する共同トライアルの実施について”、ＮＴＴ持株会社ニュースリリース、＜URL：http://www.ntt.co.jp/news2012/1210/121004a.html＞
【発明の概要】
【発明が解決しようとする課題】
【０００５】
従来のＯ２Ｏサービスでは、ユーザがチェックインすると、近くの店舗のクーポンなどの広告情報を提供することが行われている。しかしながら、ユーザがチェックインする度に情報を提供する仕組みでは、ユーザにとって興味のない情報やユーザの嗜好に合わない情報も一律に提供されてしまい、ユーザに煩わしさを感じさせてしまうという課題がある。
【０００６】
本発明は、上記の事情に鑑みなされたもので、本発明の目的は、ユーザの嗜好に合った情報をユーザ端末に配信する情報配信装置、情報配信方法、および情報配信プログラムを提供することにある。
【課題を解決するための手段】
【０００７】
上記の課題を解決するため、第１の本発明は、情報配信装置であって、ユーザ端末が複数のアクセスポイントに接続した接続情報を用いて、各アクセスポイントでの滞在時間を算出する算出手段と、滞在時間が所定の時間を越えるか否かを判別し、滞在時間が所定の時間を越えるアクセスポイントを記憶手段に記憶する判別手段と、所定のタイミングで、前記記憶手段に記憶された、滞在時間が所定の時間を越えるアクセスポイントに関連する情報を選択し、選択した情報を前記ユーザ端末に配信する配信手段と、を有する。
【０００８】
上記情報配信装置において、前記所定のタイミングは、前記ユーザ端末が所定の配信用アクセスポイントに接続したタイミングである。
【０００９】
上記情報配信装置において、前記算出手段は、ユーザ端末が第１のアクセスポイントに接続した時刻と、次の第２のアクセスポイントに接続した時刻との差を、第１のアクセスポイントでの滞在時間として算出する。
【００１０】
上記情報配信装置において、アクセスポイント毎に、当該アクセスポイントに関連する情報を記憶するアクセスポイント情報記憶手段を有し、前記配信手段は、前記アクセスポイント情報記憶手段を用いて、滞在時間が所定の時間を越えるアクセスポイントに関連する情報を選択する。
【００１１】
第２の本発明は、コンピュータが行う情報配信方法であって、ユーザ端末が複数のアクセスポイントに接続した接続情報を用いて、各アクセスポイントでの滞在時間を算出する算出ステップと、滞在時間が所定の時間を越えるか否かを判別し、滞在時間が所定の時間を越えるアクセスポイントを記憶部に記憶する判別ステップと、所定のタイミングで、前記記憶部に記憶された、滞在時間が所定の時間を越えるアクセスポイントに関連する情報を選択し、選択した情報を前記ユーザ端末に配信する配信ステップと、を行う。
【００１２】
上記情報配信方法であって、前記所定のタイミングは、前記ユーザ端末が所定の配信用アクセスポイントに接続したタイミングである。
【００１３】
上記情報配信方法であって、前記算出ステップは、ユーザ端末が第１のアクセスポイントに接続した時刻と、次の第２のアクセスポイントに接続した時刻との差を、第１のアクセスポイントでの滞在時間として算出する。
【００１４】
第３の本発明は、上記情報配信装置としてコンピュータを機能させるための情報配信プログラムである。
【発明の効果】
【００１５】
本発明によれば、ユーザの嗜好に合った情報をユーザ端末に配信する情報配信装置、情報配信方法、および情報配信プログラムを提供することができる。
【図面の簡単な説明】
【００１６】
【図１】本発明の一実施の形態における情報配信システムの全体構成図である。
【図２】ＷｉＦｉネットワークの構成を示す構成図である。
【図３】滞在時間算出処理のフローチャートである。
【図４】行動履歴記憶部の一例を示す図である。
【図５】情報配信処理のフローチャートである。
【発明を実施するための形態】
【００１７】
以下、本発明の実施の形態を、図面を用いて説明する。
【００１８】
図１は、本発明の一実施の形態における情報配信システムの全体構成図である。図示する情報配信システムは、ＷｉＦｉネットワーク１と情報配信装置２とを備える。
【００１９】
図２は、ＷｉＦｉネットワーク１の構成を示す構成図である。ＷｉＦｉネットワーク１は、ユーザ端末１１と、無線ＬＡＮ１２と、アクセスポイント群として複数のアクセスポイント１３およびアクセスポイント通信装置１４とを備える。
【００２０】
ユーザ端末１１は、ユーザが使用する通信端末であって、例えば、スマートフォン、タブレット端末、携帯電話、ＰＣなどのモバイル端末を用いることができる。図示するユーザ端末１１は、通信部１１１と、制御部１１２と、配信情報記憶部１１３とを備える。通信部１１１は、無線ＬＡＮ１２を介して各アクセスポイント１３に接続し、通信する。制御部１１２は、情報配信装置２から配信された配信情報をディスプレイに表示し、また、配信情報記憶部１１３に記憶するなどの制御を行う。配信情報記憶部１１３には、情報配信装置２から配信された配信情報が記憶される。
【００２１】
各アクセスポイント１３は、所定の場所・位置に配置され、無線ＬＡＮ１２を用いてユーザ端末１１を情報配信装置２に接続するため電波中継装置である。アクセスポイントは、例えば、ＷｉＦｉネットワーク１を構成するためのＷｉＦｉスポットである。
【００２２】
アクセスポイント通信装置１４は、複数のアクセスポイント１３に接続され、アクセスポイント１３が送信する情報を情報配信装置２に送信するとともに、情報配信装置２が送信する情報をアクセスポイント１３に送信する。
【００２３】
なお、本実施形態では、無線ＬＡＮ１２としてＷｉＦｉを用いることとしたが、ＷｉＦｉ以外のネットワークを用いることとしてもよい。
【００２４】
図１に示す情報配信装置２は、通信部２１と、滞在時間算出部２２と、配信部２３と、行動履歴記憶部２４と、ユーザ端末情報記憶部２５と、アクセスポイント情報記憶部２６と、配信情報記憶部２７とを備える。通信部２１は、各アクセスポイント１３と、アクセスポイント通信装置１４を介して通信する。
【００２５】
滞在時間算出部２２（算出手段、判別手段）は、ユーザ端末１１が各アクセスポイント１３に接続した接続情報を用いて、各アクセスポイントでの滞在時間を算出する。また、滞在時間算出部２２は、算出した滞在時間が所定の時間を越えるか否かを判別し、滞在時間が所定の時間を越えるアクセスポイントをユーザ端末情報記憶部２５に記憶する。
【００２６】
配信部２３（配信手段）は、所定のタイミングで、ユーザ端末情報記憶部２５に記憶された、滞在時間が所定の時間を越えるアクセスポイントに関する配信情報を選択し、選択した配信情報をユーザ端末１１に配信する。
【００２７】
行動履歴記憶部２４には、ユーザ端末１１がアクセスポイント１３に接続した接続情報が記憶される。ユーザ端末情報記憶部２５には、滞在時間が所定の時間を越えるアクセスポイントの接続情報が記憶される。アクセスポイント情報記憶部２６には、各アクセスポイント１３毎に、当該アクセスポイント１３に関連して配信すべき配信情報の識別情報が対応付けて記憶されている。配信情報記憶部２７は、ユーザ端末１１に配信する様々な配信情報が、識別情報とともに記憶される。
【００２８】
なお、本実施形態の情報配信装置２は、例えば、ＣＰＵと、メモリと、ＨＤＤ等の外部記憶装置などを備えた汎用的なコンピュータシステムを用いることができる。このコンピュータシステムにおいて、ＣＰＵがメモリ上にロードされた情報配信装置２のプログラムを実行することにより、情報配信装置２の各機能が実現される。また、情報配信装置２用のプログラムは、ハードディスク、フレキシブルディスク、ＣＤ−ＲＯＭ、ＭＯ、ＤＶＤ−ＲＯＭなどのコンピュータ読取り可能な記録媒体に記憶することも、ネットワークを介して配信することもできる。
【００２９】
次に、本実施形態の処理について説明する。
【００３０】
まず、ユーザ端末１１が、ＷｉＦｉネットワーク１に接続されているときに、当該ユーザ端末１１の各アクセスポイント１３での滞在時間を算出する処理を説明する。
【００３１】
図３は、アクセスポイント１３の滞在時間の算出処理のフローチャートである。各アクセスポイン１３は、ユーザ端末１１が自アクセスポイント１３に接続されると、ユーザ端末１１の接続情報を、アクセスポイント通信装置１４を介して、情報配信装置２に送信する（Ｓ１１）。接続情報には、接続されたユーザ端末１１のユーザ端末情報（例えば、端末ＩＤなど）と、自アクセスポイント１３のアクセスポイント情報（例えば、アクセスポイントＩＤなど）と、接続された時刻とが含まれる。なお、ユーザ端末情報の替わりに、ユーザ端末１１から送信される、当該ユーザ端末１１を使用するユーザ情報（例えば、ユーザＩＤなど）を、情報配信装置２に送信することとしてもよい。
【００３２】
また、ユーザ端末１１がアクセスポイント１３に接続する方法としては、例えば、ユーザがチェックインなどの所定の操作をユーザ端末１１に入力することでアクセスポイント１３に接続すること、または、ユーザ端末１１を携帯するユーザがアクセスポイント１３と通信可能な位置に移動した際に自動でユーザ端末１１がアクセスポイント１３に接続すること、などが考えられる。
【００３３】
なお、チェックインは、ＳＮＳ（Social Networking Service）などで自分の現在位置を友人・知人に知らせるための操作であって、ユーザは、自分がいる場所をユーザ端末１１から入力する。
【００３４】
アクセスポイント通信装置１４は、アクセスポイント１３から送信された接続情報を、ネットワークを介して情報配信装置２に送信（転送）する。情報配信装置２の滞在時間算出部２２は、アクセスポイント１３が送信した接続情報を、通信部２１を介して受信し、行動履歴記憶部２４に記憶する（Ｓ１２）。
【００３５】
図４は、行動履歴記憶部２４に記憶される接続情報の一例である。図示する行動履歴記憶部２４は、接続情報に含まれるユーザ端末情報、アクセスポイント情報および接続時刻と、次のＳ１３で算出される滞在時間とが、対応付けて記憶される。Ｓ１２では、滞在時間以外の情報が行動履歴記憶部２４に記憶される。
【００３６】
そして、滞在時間算出部２２は、接続情報に含まれるユーザ端末１１の滞在時間を算出する（Ｓ１３）。本実施形態では、各アクセスポイント１３の滞在時間として、第１のアクセスポイント１３に接続された時刻（Ｔ（Ｎ１））と、次に第２のアクセスポイント１３に接続した時刻（Ｔ（Ｎ２））との差（（Ｔ（Ｎ２）−Ｔ（Ｎ１））を、第１のアクセスポイント１３での滞在時間として算出する。
【００３７】
具体的には、滞在時間算出部２２は、行動履歴記憶部２４の中から、Ｓ１２で受信した接続情報のユーザ端末１１の直前のレコードを接続時刻を用いて特定する。すなわち、当該ユーザ端末１１が、Ｓ１１でアクセスポイント１３に接続する直前に接続したアクセスポイントの接続情報（レコード）を特定し、当該接続情報の接続時刻を取得する。そして、Ｓ１２の接続情報の接続時刻（Ｔ（Ｎ２））から直前の接続情報の接続時刻（Ｔ（Ｎ１））を減算することで、直前に接続したアクセスポイント１３での滞在時間を算出し、直前の接続情報のレコードの滞在時間に設定する。
【００３８】
すなわち、本実施形態では、第１のアクセスポイント１３に接続してから、次の第２のアクセスポイント１３にユーザが移動して接続するまでの時間（アクセスポイント１３を別のアクセスポイント１３に切り替えるまでの時間）を、第１のアクセスポイント１３の滞在時間として算出する。したがって、アクセスポイント１３を切り替える度に、それまで接続していたアクセスポイント１３の滞在時間が算出されることになる。
【００３９】
なお、滞在時間の算出方法は、上記方法に限定されるものではなく、上記以外の方法で算出することとしてもよい。
【００４０】
そして、滞在時間算出部２２は、Ｓ１３で算出した直前のアクセスポイント１３での滞在時間が所定の時間（閾値）を超えるか否かを判別する（Ｓ１４）。滞在時間が所定の時間を越える場合（Ｓ１４：ＹＥＳ）、滞在時間算出部２２、直前の接続情報のレコード（ユーザ端末情報、アクセスポイント情報、接続時刻および滞在時間）をユーザ端末情報記憶部２５に登録する。すなわち、滞在時間が長いアクセスポイント１３のエリア・周辺は、当該ユーザ端末１１のユーザの嗜好に合った（ユーザが興味のある）スポットであると推定し、ユーザ端末情報記憶部２５に登録する。
【００４１】
一方、滞在時間が所定の時間以下の場合（Ｓ１４：ＮＯ）、ユーザ端末情報記憶部２５への登録を行うことなく処理を終了する。すなわち、滞在時間が短いアクセスポイント１３のエリア・周辺については、当該ユーザ端末１１のユーザの嗜好に合っていない（ユーザの興味のない）スポットであると推定し、情報配信の対象外であると判別する。
【００４２】
次に、情報配信装置２が、所定のタイミングでユーザ端末１１に情報を配信する処理について説明する。
【００４３】
図５は、本実施形態の情報配信処理のフローチャートである。本実施形態では、複数のアクセスポイント１３の中であらかじめ指定した所定の配信用アクセスポイント１３に、ユーザ端末１１が接続したことを契機に、図５の処理を行うこととする。しかしながら、情報を配信するタイミングはこれに限定するものではなく、その他のタイミングで図５のＳ２２以降の処理を行うこととしてもよい。
【００４４】
ここでは、図３の処理が終了した後に、引き続き図５の処理を行うものとする。すなわち、情報配信装置２の配信部２３は、図３のＳ１１で接続情報を送信したアクセスポイント１３が配信用アクセスポイント１３であるか否かを、受信した接続情報に含まれるアクセスポイント情報を用いて判別する（Ｓ２１）。なお、配信用アクセスポイント１３は、１つであっても複数であってもよい。また、配信用アクセスポイント１３として設定したアクセスポイント情報については、例えば、情報配信装置２の図示しない記憶部にあらかじめ記憶されているものとする。配信部２３は、接続情報に含まれるアクセスポイント情報が記憶部に記憶されているか否かにより配信用アクセスポイント１３か否かを判別する。
【００４５】
配信部２３は、配信用アクセスポイント１３からの接続情報ではないと判別した場合は（Ｓ２１：ＮＯ）、配信処理を行うことなく処理を終了する。配信用アクセスポイント１３からの接続情報の場合は（Ｓ２１：ＹＥＳ）、配信部２３は、ユーザ端末情報記憶部２５に、当該接続情報に含まれるユーザ端末情報のレコードがあるか否か判別する（Ｓ２２）。すなわち、配信部２３は、当該ユーザ端末情報のユーザ端末１１が、ＷｉＦｉネットワーク１内において、所定の時間（閾値）を超えて滞在したアクセスポイント１３があるか否かを判別する。
【００４６】
当該ユーザ端末情報のレコードがユーザ端末情報記憶部２５に存在しない場合、すなわち、所定の時間を超えて滞在したアクセスポイント１３が１つもない場合（Ｓ２２：ＮＯ）、配信処理を行うことなく処理を終了する。
【００４７】
当該ユーザ端末情報のレコードがユーザ端末情報記憶部２５に存在する場合、すなわち、所定の時間を超えて滞在したアクセスポイント１３が少なくとも１つある場合（Ｓ２２：ＹＥＳ）、当該ユーザ端末情報が設定されたレコードを全て抽出する。そして、抽出した各レコードに設定された各アクセスポイント情報のアクセスポイント１３が、当該ユーザ端末１１のユーザの嗜好に合ったアクセスポイント１３であると判断する。
【００４８】
そして、配信部２３は、抽出した各アクセスポイント情報に関連（対応）する配信情報を検索する（Ｓ２３）。具体的には、配信部２３は、アクセスポイント情報記憶部２６を参照し、抽出した各アクセスポイント情報に紐付けられた（対応付けられた）配信情報を特定する。アクセスポイント情報記憶部２６には、各アクセスポイント１３毎に、当該アクセスポイント１３に関して配信すべき配信情報の識別情報が対応付けて記憶されているものとする。
【００４９】
そして、配信部２３は、検索した各識別情報の配信情報を、配信情報記憶部２７から読み出し、読み出した配信情報を当該ユーザ端末情報のユーザ端末１１に、通信部２１を介して配信（送信）する。なお、配信情報としては、各アクセスポイント１３のエリアおよび周辺に存在するお店、名所、展示物などに関する広告情報、商品情報、説明情報などの各種情報が考えられる。
【００５０】
情報配信装置２が配信した配信情報は、アクセスポイント通信装置１４、配信用アクセスポイント１３および無線ＬＡＮ１２を介してユーザ端末１１に送信される。ユーザ端末１１の制御部１１２は、通信部１１１を介して配信情報を受信し、当該配信情報をディスプレイに表示するとともに、配信情報記憶部１１３に記憶する。これにより、ユーザは、自身の嗜好に合った配信情報（すなわち、長時間滞在したアクセスポイント１３に関連する情報）を、適切なタイミングで受け取ることができ、ユーザの利便性を向上することができる。
【００５１】
なお、上記実施形態の適用事例として、例えば、ＷｉＦｉネットワーク１を美術館に設置することが考えられる。ユーザは美術館において、当該美術館に設置されたＷｉＦｉネットワーク１にユーザ端末を接続して美術館内を移動するものとする。すなわち、美術館内全体には、複数のアクセスポイント１３が設置されており、ユーザ端末１１がどこに移動しても必ず美術館内のいずれかのアクセスポイント１３に接続できるものとする。
【００５２】
このような美術館において、ユーザ端末１１を携帯したユーザが移動をすることで、ユーザ端末１１は移動先のアクセスポイント１３に順次、接続する。各アクセスポイント１３はユーザ端末１１が接続されると接続情報を情報配信装置２に送信する。情報配信装置２では、ユーザ端末１１の各アクセスポイント１３への接続情報を用いて滞在時間を算出することで、どの作品が展示されている場所（アクセスポイント）にユーザが長時間滞在していたかを把握することができる。すなわち、長時間滞在していた場所に展示されている作品が、ユーザの嗜好に合っていて、ユーザが興味を持っていると推定することができ、この場合、情報配信の対象であるとして、ユーザ端末情報記憶部２５に当該場所（アクセスポイント）を登録する。一方、滞在時間が短い場所に展示されている作品については、ユーザの嗜好に合っていない、ユーザの興味がない作品であると推定することができる。この場合、情報配信の対象外であるとして、ユーザ端末情報記憶部２５に当該場所（アクセスポイント）を登録しない。
【００５３】
そして、ユーザ端末１１が所定の配信用のアクセスポイント１３（美術館の導線から考えると、例えばお土産コーナーなど）に接続した際に、ユーザ端末情報記憶部２５を参照してユーザの嗜好を特定し、ユーザの嗜好にあった作品に関する情報を、適切なタイミングで提供する。これにより、お土産コーナーの販売促進が期待できる。なお、美術館での適用事例をここでは説明したが、美術館に限定されるこのではない。
【００５４】
以上説明した本実施形態では、ユーザ端末毎（ユーザ毎）に、滞在時間が所定の時間を越えるアクセスポイントを記録しておき、所定のタイミングで、滞在時間が所定の時間を越えるアクセスポイントに関連した情報を選択してユーザ端末に配信する。これにより、本実施形態では、各アクセスポイントでの滞在時間を用いて、ユーザの嗜好性を推定し、ユーザの嗜好に合った情報を、適切なタイミングでユーザ端末に配信することができる。
【００５５】
すなわち、本実施形態では、ユーザがアクセスポイントに接続する度に情報を配信するのではなく、ユーザの行動（アクセスポイントでの滞在時間）に基づいてユーザの嗜好を推定し、ユーザの嗜好に合った情報を配信するため、ユーザの嗜好に合わない不要な情報を配信してユーザに煩わしさを感じさせてしまう事態を回避し、ユーザの利便性を向上することができる。
【００５６】
また、本実施形態では、所定のタイミングで（本実施形態では所定の配信用アクセスポイントにユーザ端末が接続したタイミングで）、ユーザ端末に情報を配信する。これにより、各アクセスポイントへの接続の度に情報を配信することなく、所定のタイミングでユーザの嗜好に合った情報を配信することで、ユーザが煩わしさを感じることでなく、適切なタイミングで情報を配信することができる。
【００５７】
なお、本発明は上記実施形態に限定されるものではなく、特許請求の範囲内において、種々変更・応用が可能である。例えば、上記実施形態の情報配信装置２は、行動履歴記憶部２４とは別に、滞在時間が長いアクセスポイントのみを登録したユーザ端末情報記憶部２５を備えることとしたが、ユーザ端末情報記憶部２５を備えないこととしてもよい。この場合、情報配信装置２は、図５のＳ２２において、行動履歴記憶部２４から滞在時間が所定の閾値を超えるアクセスポイントを抽出する。
【符号の説明】
【００５８】
１  ：ＷｉＦｉネットワーク
１１：ユーザ端末
１１１：通信部
１１２：制御部
１１３：配信情報記憶部
１２：無線ＬＡＮ
１３：アクセスポイント
１４：アクセスポイント通信装置
２  ：情報配信装置
２１：通信部
２２：滞在時間算出部
２３：配信部
２４：行動履歴記憶部
２５：ユーザ端末情報記憶部
２６：配信情報記憶部
【図１】
2015005894.tif 000003
【図２】
2015005894.tif 000004
【図３】
2015005894.tif 000005
【図４】
2015005894.tif 000006
【図５】
2015005894.tif 000007